(57)【要約】【課題】本発明は、意匠性に優れ、使い勝手が良い携帯端末用ケースを提供する。【解決手段】携帯電話ケースは、一枚の外背板２０と二枚の外壁片２１、外壁片２２から成る外ケース２と、一枚の内背板３０と三枚の内壁片３１、内壁片３２、内壁片３３から成る内ケース３とから構成されるケース体１を有している。スマートフォンは内ケース３内に収容されており、この内ケース３を内ケース３の内背板３０側から覆うように外ケース２が備えられている。【選択図】図１
2015109508.tif 000002
【特許請求の範囲】
【請求項１】
少なくとも一方の面が略平坦、かつ、長方形に形成されると共に、貫通孔が設けられた内背板と、
該内背板の前記一方の面の長手方向側の両端部に略垂直に連設された内壁片と、
該内壁片の前記内背板に連設された側と反対側の端部に連設され、平面視で同内背板の側に延出した第一の突出片と、
前記内壁片の前記内背板の側と反対側の面に形成された内壁片レール部と、
前記内背板の前記内壁片とは反対側に配置された外背板と、
該外背板の長手方向側の両端部かつ前記内壁片の外側に位置し、同外背板に連設された外壁片と、
該外壁片の前記外背板に連設された側と反対側の端部に連設され、平面視で同外背板の側に延出した第二の突出片と、
前記外壁片の前記外背板の側の面に形成され、前記内壁片レール部と滑動可能に係合した外壁片レール部とを備える
携帯端末用ケース。
【請求項２】
前記外背板は、前記内背板と一定の間隔を有して配置された
請求項１記載の携帯端末用ケース
【請求項３】
前記外背板の短手方向側の端部近傍に連設された第二の外壁片を備える
請求項１または請求項２に記載の携帯端末用ケース。
【請求項４】
凸状に形成され、前記内壁片レール部上に配置された一対の内ストッパ部と、
凹状に形成され、前記外壁片レール部上の前記内ストッパ部の配置位置と対応する位置とは異なる位置に配置された一対の外ストッパ部とを備える
請求項１、請求項２または請求項３に記載の携帯端末用ケース。
【請求項５】
前記内壁片レール部上に配置された一対の内ストッパ部と、
前記外壁片レール部上に配置され、前記内ストッパ部と嵌合可能な一対の外ストッパ部とを備える
請求項１、請求項２または請求項３に記載の携帯端末用ケース。
【請求項６】
前記内背板の短手方向側の端部近傍に前記貫通孔が形成され、
前記内壁片レール部及び前記外壁片レール部を滑動させ、前記貫通孔が前記外背板と重ならない位置で前記内ストッパ部及び前記外ストッパ部が固定可能な
請求項４または請求項５に記載の携帯端末用ケース。
【請求項７】
前記外背板は透明な部材で形成された
請求項１、請求項２、請求項３、請求項４、請求項５または請求項６に記載の携帯端末用ケース。
【請求項８】
略平板状に形成された第一の部分と、
該第一の部分の一方の面上の周縁に沿って設けられた第二の部分と、
該第二の部分の内周側に設けられ、第一の貫通孔が形成されると共に、その内周側に溝部が形成された取付部とを備える
携帯端末用ケース。
【請求項９】
前記第二の部分に第二の貫通孔が形成された
請求項８に記載の携帯端末用ケース。
【請求項１０】
略平板状に形成された第一の部分と、
該第一の部分の一方の面上の周縁に沿って設けられ、第一の貫通孔が形成された第二の部分と、
該第二の部分の前記第一の部分と反対側に設けられ、その内周側に溝部が形成された取付部とを備える
携帯端末用ケース。
【請求項１１】
前記取付部は前記第一の貫通孔と連通した第二の貫通孔が形成された
請求項１０に記載の携帯端末用ケース。
【発明の詳細な説明】
【技術分野】
【０００１】
本発明は、携帯端末用ケースに関する。詳しくは、意匠性に優れ、使い勝手が良い携帯端末用ケースに関するものである。
【背景技術】
【０００２】
落下等の外部からの衝撃から本体を保護する目的や、見た目の色や形状に変化をつけて楽しむ目的から、スマートフォンやタブレット端末を収容する携帯端末用ケースが用いられている。
【０００３】
また、携帯端末用ケースの中には、携帯端末の本体を外部の衝撃から充分に保護する目的から二重構造が採用されたものがあり、例えば、特許文献１に記載のケースが提案されている。
【０００４】
ここで、図９に示すように、特許文献１に記載のケース１００は、内ケース１１０と外ケース１２０より構成され、二層構造で携帯端末を保護するものとなっている。
【先行技術文献】
【特許文献】
【０００５】
【特許文献１】特開２０１２−１０００３３号公報
【発明の概要】
【発明が解決しようとする課題】
【０００６】
しかしながら、特許文献１に記載の携帯端末用ケースは、本体を二層構造で覆う一方、ケースの形状が変化するような構造とはなっていない。そのため、使用時にケースの厚みが気になることが考えられる。
【０００７】
また、携帯端末のカメラ用の孔が内ケースと外ケースの両方の背面に設けられている。そのため、ケースの背面全体でデザインを工夫する場合に、孔の存在が邪魔になり、意匠性が高めにくいという不都合が生じている。
【０００８】
また、従来品の携帯端末用ケースには、携帯端末の下部等に設けられたマイク部分をケースが覆い、通話がしづらい構造のものも存在した。
【０００９】
また、タブレット端末では、スピーカ部分が端末本体の背面側に設けられた構造が多く見られるが、従来品のケースの形状には、背面の全体を覆い、スピーカ部分を塞いでしまうものが多かった。
【００１０】
また、タブレット端末用のケースで、スピーカ部分に空間を設けた構造であっても、音が周囲に拡散し、充分に音声が聞き取れるものとはなっていない。
【００１１】
本発明は、以上の点に鑑みて発明されたものであり、意匠性に優れ、使い勝手の良い携帯端末用ケースを提供することを目的とする。
【課題を解決するための手段】
【００１２】
上記の目的を達成するために、本発明の携帯端末用ケースは、少なくとも一方の面が略平坦、かつ、長方形に形成されると共に、貫通孔が設けられた内背板と、該内背板の前記一方の面の長手方向側の両端部に略垂直に連設された内壁片と、該内壁片の前記内背板に連設された側と反対側の端部に連設され、平面視で同内背板の側に延出した第一の突出片と、前記内壁片の前記内背板の側と反対側の面に形成された内壁片レール部と、前記内背板の前記内壁片とは反対側に配置された外背板と、該外背板の長手方向側の両端部かつ前記内壁片の外側に位置し、同外背板に連設された外壁片と、該外壁片の前記外背板に連設された側と反対側の端部に連設され、平面視で同外背板の側に延出した第二の突出片と、前記外壁片の前記外背板の側の面に形成され、前記内壁片レール部と滑動可能に係合した外壁片レール部とを備える。
【００１３】
ここで、少なくとも一方の面が略平坦、かつ、長方形に形成された内背板と、内背板の一方の面の長手方向側の両端部に略垂直に連設された内壁片によって、携帯端末を収容することが可能となる。即ち、内背板及び内壁片で囲まれた空間に携帯端末の本体を収めることができる。なお、ここでいう略平坦とは、完全な平面を指すものではなく、多少の凹凸を有する形状を含むものとする。
【００１４】
また、内背板の内壁片とは反対側に配置された外背板と、外背板の長手方向側の両端部かつ内壁片の外側に位置し、外背板に連設された外壁片によって、携帯端末と、携帯端末を収容する内背板及び内壁片を覆うことができる。即ち、二層構造で携帯端末を覆い、外部等の衝撃から保護しやすいものとすることができる。
【００１５】
また、内背板の一方の面の長手方向側の両端部に略垂直に連設された内壁片と、内壁片の内背板に連設された側と反対側の端部に連設され、平面視で内背板の側に延出した第一の突出片によって、内壁片と第一の突出片が携帯端末の側面及び縁を直接押さえることとなり、携帯端末を把持しやすいものとなる。
【００１６】
また、外背板の長手方向側の両端部かつ内壁片の外側に位置し、外背板に連設された外壁片と、外壁片の外背板に連設された側と反対側の端部に連設され、平面視で外背板の側に延出した第二の突出片によって、外壁片と第二の突出片が内壁片を押さえることとなり、内壁片を把持しやすいものとなる。
【００１７】
また、貫通孔が設けられた内背板によって、本体の背面にカメラレンズを有する携帯端末のカメラを使用することが可能となる。即ち、携帯端末のカメラレンズの位置と貫通孔の位置を一致させることで、ケースを装着したままで、カメラを使用できる。
【００１８】
また、内壁片の内背板の側と反対側の面に形成された内壁片レール部と、外壁片の外背板の側の面に形成され、内壁片レール部と滑動可能に係合した外壁片レール部によって、内壁片レール部と外壁片レール部をスライドさせることができる。即ち、この動きに伴い、内背板及び内壁片と、外背板及び外壁片を重ねたり、離したりすることが可能となる。
【００１９】
この場合、ケース全体として形状を変化させることができる。例えば、携帯端末の未使用時や、携帯端末画面の操作のみを行う時には内背板及び外背板を重ねて使用し、通話時やカメラ使用時に、内壁片レール部及び外壁片レール部をスライドさせて使用することが考えられる。
【００２０】
また、内壁片の内背板の側と反対側の面に形成された内壁片レール部と、外壁片の外背板の側の面に形成され、内壁片レール部と滑動可能に係合した外壁片レール部によって、内壁片レール部と外壁片レール部をスライドさせることができる。即ち、携帯端末を収容した内背板及び内壁片と、外背板及び外壁片の位置にずれを生じさせることができる。この際、例えば、携帯端末の下端部にマイクが配置された構造であれば、マイク近傍に位置する外背板の存在により、音が拡散しにくくなり、通話時の話し手の音声を集音しやすくなる。
【００２１】
また、内壁片の内背板の側と反対側の面に形成された内壁片レール部と、外壁片の外背板の側の面に形成され、内壁片レール部と滑動可能に係合した外壁片レール部によって、内壁片レール部と外壁片レール部をスライドさせることができる。即ち、携帯端末を収容した内背板及び内壁片と、外背板及び外壁片の位置にずれを生じさせることができる。この際、例えば、携帯端末の下端部にスピーカが配置された構造であれば、スピーカ近傍に位置する外背板の領域の存在により、音が反射され、スピーカから流れ出る音声が聞き取りやすくなる。
【００２２】
また、内背板と一定の間隔を有して配置された外背板によって、内背板と外背板の間の間隙に配置できる大きさの範囲内で別の物体を配置することが可能となる。例えば、ビーズによる装飾を施し、ケースの意匠性を高めることができる。
【００２３】
また、外背板の短手方向側の端部近傍に連設された第二の外壁片を備える場合には、内背板及び内壁片が第二の外壁片に接することにより停止するので、内背板と外背板が完全に分離されにくくなる。
【００２４】
また、凸状に形成され、内壁片レール部上に配置された一対の内ストッパ部と、凹状に形成され、外壁片レール部上の内ストッパ部の配置位置と対応する位置とは異なる位置に配置された一対の外ストッパ部を備える場合には、内背板及び内壁片と、外背板及び外壁片をスライドさせた状態で固定することが可能となる。即ち、内ストッパ部及び外ストッパ部を設けた位置で、携帯端末用ケースの形状の変化を固定し、携帯端末を使いやすいものにすることができる。
【００２５】
内壁片レール部上に配置された一対の内ストッパ部と、外壁片レール部上に配置され、前記内ストッパ部と嵌合可能な一対の外ストッパ部を備える場合には、内背板及び内壁片と、外背板及び外壁片をスライドさせた状態で固定することが可能となる。即ち、外ストッパ部を設けた位置で、携帯端末用ケースの形状を固定し、携帯端末を使いやすいものにすることができる。
【００２６】
また、内背板の短手方向側の端部近傍に貫通孔が形成され、内壁片レール部及び外壁片レール部を滑動させ、貫通孔が外背板と重ならない位置で内ストッパ部及び外ストッパ部が固定可能な場合には、内背板の貫通孔が形成された領域を、スライドさせて、外背板と重ならない位置で固定できる。即ち、携帯端末のカメラの使用が容易になる。
【００２７】
また、外背板が透明な部材で形成された場合には、外背板を通して内背板側を視認することができる。例えば、内背板に施した装飾や、内背板及び外背板の間に和紙等を入れた際に、外背板を重ねた状態でも見栄えをよくすることができる。
【００２８】
また、上記の目的を達成するために、本発明の携帯端末用ケースは、略平板状に形成された第一の部分と、該第一の部分の一方の面上の周縁に沿って設けられた第二の部分と、該第二の部分の内周側に設けられ、第一の貫通孔が形成されると共に、その内周側に溝部が形成された取付部とを備える。
【００２９】
ここで、第二の部分の内周側に設けられ、その内周側に溝部が形成された取付部によって、携帯端末を把持させることができる。即ち、取付部の溝部に携帯端末の周縁を嵌めて、把持させることが可能となる。
【００３０】
また、略平板状に形成された第一の部分と、第一の部分の一方の面上の周縁に沿って設けられた第二の部分と、第二の部分の内周側に設けられ、その内周側に溝部が形成された取付部によって、携帯端末を保護することができる。即ち、携帯端末を溝部で把持し、その周りを第一の部分及び第二の部分で覆い、携帯端末の本体を保護することが可能となる。
【００３１】
また、略平板状に形成された第一の部分と、第一の部分の一方の面上の周縁に沿って設けられた第二の部分と、第二の部分の内周側に設けられ、その内周側に溝部が形成された取付部によって、携帯端末の背面側に、携帯端末、第一の部分、第二の部分及び取付部で囲まれた空間を形成することとなる。例えば、本体の背面にスピーカが設けられたタブレット端末を取り付けた際には、スピーカから生じた音声が第一の部分で反響し、この空間に広がることで、音声をより聞き取りやすいものにすることができる。
【００３２】
また、第一の貫通孔が形成された取付部によって、携帯端末から生じた音声を聞き取りやすいものとすることができる。即ち、第一の貫通孔を介して、携帯端末のスピーカから生じた音声を第一の部分の側とは反対方向に流しやすくすることができる。なお、ここでいう第一の貫通孔とは、取付部の携帯端末、第一の部分、第二の部分及び取付部で囲まれた空間側から、取付部の第一の部分とは反対側に向けて貫通した孔のことをいう。
【００３３】
また、第二の部分に第二の貫通孔が形成された場合には、第二の貫通孔を介して携帯端末で生じた音声が流れることとなり、より一層、携帯端末から生じた音声を聞き取りやすいものとすることができる。なお、ここでいう第二の貫通孔とは、取付部の携帯端末、第一の部分、第二の部分及び取付部で囲まれた空間側から、取付部の第一の部分とは反対側に向けて貫通した孔のことをいう。
【００３４】
また、上記の目的を達成するために、本発明の携帯端末用ケースは、略平板状に形成された第一の部分と、該第一の部分の一方の面上の周縁に沿って設けられ、第一の貫通孔が形成された第二の部分と、該第二の部分の前記第一の部分と反対側に設けられ、その内周側に溝部が形成された取付部とを備える。
【００３５】
ここで、第二の部分の第一の部分と反対側に設けられ、その内周側に溝部が形成された取付部によって、携帯端末を把持させることができる。即ち、取付部の溝部に携帯端末の周縁を嵌めて、把持させることが可能となる。なお、ここでいう携帯端末とは、例えば、タブレット端末を意味するものである。
【００３６】
また、略平板状に形成された第一の部分と、第一の部分の一方の面上の周縁に沿って設けられた第二の部分と、第二の部分の第一の部分と反対側に設けられ、溝部が形成された取付部によって、携帯端末を保護することができる。即ち、携帯端末を溝部で把持し、その周りを第一の部分及び第二の部分で覆い、携帯端末の本体を保護することが可能となる。
【００３７】
また、略平板状に形成された第一の部分と、第一の部分の一方の面上の周縁に沿って設けられた第二の部分と、第二の部分の第一の部分と反対側に設けられ、溝部が形成された取付部によって、携帯端末の背面側に、携帯端末、第一の部分、第二の部分及び取付部で囲まれた空間を形成することとなる。例えば、本体の背面にスピーカが設けられたタブレット端末を取り付けた際には、スピーカから生じた音声が第一の部分で反響し、この空間に広がることで、音声をより聞き取りやすいものにすることができる。
【００３８】
また、第一の貫通孔が形成された第二の部分によって、携帯端末から生じた音声を聞き取りやすいものとすることができる。即ち、第一の貫通孔を介して、携帯端末のスピーカから生じた音声を第一の部分の側とは反対方向に流しやすくすることができる。なお、ここでいう第一の貫通孔とは、第二の部分の携帯端末、第一の部分、第二の部分及び取付部で囲まれた空間側から、第二の部分の第一の部分とは反対側に向けて貫通した孔のことをいう。
【００３９】
また、取付部に第一の貫通孔と連通した第二の貫通孔が形成された場合には、第二の貫通孔を流れる音声が、第一の貫通孔側にも流れることとなる。即ち、取付部の位置からも携帯端末の音声が流れることとなり、より一層、携帯端末から生じた音声を聞き取りやすいものとすることができる。
【発明の効果】
【００４０】
本発明に係る携帯端末用ケースは、意匠性に優れ、使い勝手が良いものとなっている。
【図面の簡単な説明】
【００４１】
【図１】第１の実施の形態に係るスマートフォン用ケースの構造を示した斜視説明図である。
【図２】第１の実施の形態に係るスマートフォン用ケースの外ケースの斜視図（ａ）と、内ケースの斜視図（ｂ）である。
【図３】内ケースの側面図である。
【図４】第一レール部の拡大図及び外ケース２と内ケース３が嵌合した状態を外ケース２と内ケース３の動作方向から見た拡大断面図（ａ）と、第一レール部の構造のその他の一例を示した図（ｂ）である。
【図５】カメラ撮影時の使用状態説明図である。
【図６】第２の実施の形態に係るタブレット端末ケースの構造を示した正面図である。
【図７】第２の実施の形態に係るタブレット端末ケースの構造を示した断面図である。
【図８】第３の実施の形態に係るタブレット端末ケースの構造を示した断面図である。
【図９】従来の携帯端末用ケースを示した図である。
【発明を実施するための形態】
【００４２】
以下、本発明の実施の形態について図１ないし図５を参照しながら説明し、本発明の理解に供する。
【００４３】
図１は、第１の実施の形態に係るスマートフォン用ケースの構造を示した斜視説明図である。図２は、第１の実施の形態に係るスマートフォン用ケースの外ケースの斜視図（ａ）と、内ケースの斜視図（ｂ）である。図３は、内ケースの側面図である。図４は、第一レール部の拡大図及び外ケース２と内ケース３が嵌合した状態を、外ケース２と内ケース３の動作方向から見た拡大断面図（ａ）と、第一レール部の構造のその他の一例を示した図（ｂ）である。図５は、カメラ撮影時の使用状態説明図である。
【００４４】
〔第１の実施の形態〕
図１に示すように、本発明を適用した携帯端末用ケースの一例であるスマートフォン用のケース体１は、外ケース２と内ケース３を有する。スマートフォン（図示せず）は内ケース３内に収容される。また、内ケース３を覆うように外ケース２が取り付けられている。また、外ケース２と内ケース３の重なる部分の間には、適度な間隙が設けられている。
【００４５】
ここで、必ずしも外ケース２と内ケース３の間に、適度な間隙を設ける必要はない。但し、内ケース３にビーズ装飾や和紙を挟むなど間隙を利用して装飾を施すことが可能となる点から、外ケース２と内ケース３の間に適度な間隙を設けることが好ましい。
【００４６】
図２（ａ）に示すように、外ケース２は、一枚の外背板２０と二枚の外壁片２１、外壁片２２から構成されている。外ケース２の外壁片２１、外壁片２２は、外背板２０の左右の縁に互いに略平行に設けられ、先端部には鉤状の爪部２４が設けられている。
【００４７】
外ケース２の下端には抑止部２７が設けられている。外壁片２２の上部側は一部切欠かれ、他の部分よりも背の低い形状を有している。
【００４８】
外壁片２１、外壁片２２の内壁片と対向する部分には第一レール部２５（図２には図示せず）がそれぞれ設けられている。
【００４９】
また、外ケース２の外背板２０、外壁片２１、外壁片２２、鉤状の爪部２４及び抑止部２７は一体的に形成されている。また、外ケース２は透明な部材で形成されている。
【００５０】
ここで、必ずしも外壁片２２の一部分が切り欠かれ、他の部分よりも背の低い形状となる必要はない。外壁片２１及び外壁片２２の形状は、スマートフォンの形態により適宜変更可能なものとし、例えば、外壁片２１、外壁片２２が部分的に存在しない構造とすることもできる。
【００５１】
また、必ずしも、外ケース２の下端に抑止部２７が設けられる必要はない。但し、内ケース３を外ケース２ときれいに重ね合わせた状態を保ちやすくなる点から、外ケース２の下端に抑止部２７が設けられることが好ましい。
【００５２】
また、抑止部２７の形状、大きさまたは数は特に限定するものではなく、スマートフォンの形態により適宜変更できるものとする。
【００５３】
また、必ずしも、外ケース２の外背板２０、外壁片２１、外壁片２２、鉤状の爪部２４及び抑止部２７は一体的に形成される必要はない。例えば、別部材を接続させて外ケース２の構造とすることも可能である。
【００５４】
また、外壁片の数は特に限定するものではなく、スマートフォンの形態により適宜変更できるものとする。
【００５５】
また、外壁片の間に設けられた間隙の大きさや数なども特に限定するものではなく、スマートフォンの形態により適宜変更できるものとする。また、ケース体１はタブレット用としてサイズを変えて使うこともできる。
【００５６】
また、必ずしも、外ケース２が透明な部材で形成される必要はない。但し、外ケース２側から内ケース３側を視認可能となり、内ケース３に施した装飾等が見え、ケースの見栄えが良くなる点から、外ケース２が透明な部材で形成されることが好ましい。
【００５７】
また、外背板２０の透明な部材は特に限定されるものではなく、内背板３０に施された装飾が視認できる程度であれば、半透明な部材も含まれる。
【００５８】
図２（ｂ）に示すように、内ケース３は、一枚の内背板３０と三枚の内壁片３１、内壁片３２、内壁片３３から構成されている。
【００５９】
また、内壁片３１、内壁片３２は内背板３０の左右の縁に互いに略平行に設けられ、内ケース３の上端には、内壁片３３が設けられている。内壁片３２、内壁片３３の一部分は切り欠かれ、他の部分よりも背の低い形状を有している。
【００６０】
ここで、必ずしも内壁片３２、内壁片３３の一部分が切り欠かれ、他の部分よりも背の低い形状となる必要はない。内壁片３１、内壁片３２及び内壁片３３の形状は、スマートフォンの形態により適宜変更可能なものとし、例えば、内壁片３１、内壁片３２、内壁片３３が部分的に存在しない構造とすることもできる。
【００６１】
また、内壁片の数は特に限定するものではなく、スマートフォンの形態により適宜変更できるものとする。
【００６２】
また、内壁片の間に設けられた間隙の大きさや数なども特に限定するものではなく、スマートフォンの形態により適宜変更できるものとする。
【００６３】
図２（ｂ）に示すように、内壁片３１、内壁片３２、内壁片３３の先端部には鉤状の爪部３４が設けられている。内ケース３の下端には、滑止部３７が設けられている。
【００６４】
また、内ケース３の内背板３０、内壁片３１、内壁片３２、内壁片３３、鉤状の爪部３４及び滑止部３７は一体的に形成されている。
【００６５】
また、内壁片３１、内壁片３２の外壁片２１及び外壁片２２と対向する部分には、第二レール部３５が設けられている。なお、図２（ｂ）では、内壁片３２側の第二レール部３５及び係止部３６のみ示している。
【００６６】
ここで、必ずしも、内ケース３の下端に滑止部３７が設けられる必要はない。但し、内ケース３を外ケース２ときれいに重ね合わせた状態を保ちやすくなる点及び内ケース２がスマートフォンを収容しやすくなる点から、内ケース３の下端に滑止部３７が設けられることが好ましい。
【００６７】
また、滑止部３７の形状、大きさまたは数は特に限定するものではなく、スマートフォンの形態により適宜変更できるものとする。
【００６８】
また、必ずしも、内ケース３の内背板３０、内壁片３１、内壁片３２、鉤状の爪部３４及び滑止部３７は一体的に形成される必要はない。例えば、別部材を接続させて内ケース３の構造とすることも可能である。
【００６９】
図３で示すように、内壁片３１、内壁片３２の外壁片２１及び外壁片２２と対向する部分には、第二レール部３５が設けられている。第二レール部３５には、第二レール部３５よりも幅広な形状を有する凸状の係止部３６が三か所設けられている。
【００７０】
図４（ａ）で示すように、外壁片２１、外壁片２２の内壁片３１及び内壁片３２と対向する部分には第一レール部２５がそれぞれ設けられている。第一レール部２５には、第一レール部２５よりも幅狭な形状を有する膨出部２６が二か所設けられている。膨出部２６の隙間部分は、係止部３６の幅よりも狭く形成されている。
【００７１】
また、外ケース２と内ケース３の間には間隙８５が形成され、この間隙８５を利用して、装飾を施すことが可能である。例えば、内背板３０の外背板３０と対向する面に、ビーズやスパンコールを配置したり、和紙を挟んだりするなどの装飾を施すことができる。
【００７２】
ここで、必ずしも、ケース体１に係止部３６及び膨出部２６を設ける必要はない。ただし、内ケース３と外ケース２を段階的に分離させることが可能となり、より使い勝手が良くなることから、ケース体１に係止部３６及び膨出部２６を設けることが好ましい。
【００７３】
第１レール部の形状として採用しうる他の例として、図４（ｂ）に示すレール構造を挙げる。第一レール部２８には、第一レール部２８の幅よりも広くなっている凹状の空孔部２９が複数個設けられている。第二レール部３５は第一レール部２８内を摺動しながら移動し、凹状の空孔部２９に凸状の係止部３６が嵌合することで、外ケース２と内ケース３が停止する。
【００７４】
ここで、必ずしも、ケース体１に係止部３６及び空孔部２９を設ける必要はない。ただし、内ケース３と外ケース２を段階的に分離させることが可能となり、より使い勝手が良くなることから、ケース体１に係止部３６及び空孔部２９を設けることが好ましい。
【００７５】
第一レール部２５及び第二レール部３５のその他の構造として、略均一な厚みを有する凸状のレール部と、凹状のレール部の幅が外ケース２の上端方向に向かって徐々に狭くなる構造も考えられる。外ケース２と内ケース３とをスライドさせると、外ケース２の上端側でレール同士の動きが制限されるようになる。このスライドが停止する位置を調節し、固定するレール構造とすることもできる。
【００７６】
また、その他の構造として、例えば、均一な厚みを有する凸状のレール部と、この凸状のレール部の厚みとほぼ同一な幅を有する凹状のレール部が滑動可能に嵌合する形状も考えられる。この場合、外ケース２と内ケース３とをスライドさせる際に、適度な摩擦力が生じ、外ケース２と内ケース３が任意の場所で停止できる構造とすることもできる。
【００７７】
図５で示すように、スマートフォン４を内ケース３内に収容した際、カメラホール３８は内ケース３の内背板３０の上端近傍に設けられている。また、カメラホール３８は、スマートフォン４のカメラレンズと一致する位置に設けられている。内ケース３を上方にスライドさせると、外背板２０からカメラホール３８及びスマートフォン４のカメラレンズが表出する構造となっている。
【００７８】
内背板３０に形成されたカメラホール３８の位置や大きさなどは、特に限定されるものではなく、装着するスマートフォンの形状や機種などに応じて適宜変更することができる。
【００７９】
以下、ケース体１の使用について説明する。
【００８０】
使用者は、スマートフォン４を使用する際、指で内ケース３内に収容されたスマートフォン４を内ケース３ごと上方へ押し上げることで、外ケース２と内ケース３がスライドして、外ケース２と内ケース３との位置にズレが生じる。
【００８１】
このとき、第一レール部２５と第二レール部３５は互いに嵌合しているので、第二レール部３５の係止部３６は第一レール部２５内を、図４（ａ）の左から右へ向かってスライドする。係止部３６が膨出部２６の隙間部分を摺動しながら膨出部２６の右側へ抜け出る。
【００８２】
係止部３６が膨出部２６の右側へ移動したことにより、ケース体１は膨出部２６が設けられている間隔に応じて伸展する。
【００８３】
使用者がケース体１を閉じる際には、スマートフォン４を内ケース３ごとスライドさせながら外ケース２内部へ収容する。このとき、係止部３６は膨出部２６の右から左へ、膨出部２６の隙間部分を摺動しながら膨出部２６の左側へ抜け出る。
【００８４】
膨出部２６の隙間部分が係止部３６の幅よりも狭く形成されており、係止部３６は、膨出部２６により容易には膨出部２６の左側へ抜け出にくくなるので、膨出部２６と係止部３６によりスマートフォン４の位置は固定される。
【００８５】
ここで、第二レール部３５に係止部３６が三か所設けられ、第一レール部２５に膨出部２６が二か所設けられていることにより、内ケース３と外ケース２を段階的に分離でき、使用状況に応じた適切な位置に調整することができる。
【００８６】
上記のようなケース体１では、一枚の内背板３０と、先端に爪部３４が形成された三枚の内壁片３１、内壁片３２、内壁片３３により、スマートフォン４を把持しやすくなる。
【００８７】
また、ケース体１では、一枚の外背板２と、先端に爪部２４が形成された二枚の外壁片２１、外壁片２２により、内ケース３をスマートフォン４ごと把持しやすくなる。
【００８８】
通話する際ケース体１を開くと、外ケース２の下端部が使用者の口近傍を覆うように伸展する。この場合、使用者の話し声を外ケース２の下端部で受け止めるため、使用者が発する話し声をスマートフォン４の下部に設けられたマイクで集音しやすくなる。
【００８９】
また、ケース体１が進展することにより、スピーカがスマートフォン４の下部に設けられている場合には、スマートフォン４のスピーカから流れる通話の相手の声を外ケース２の下端部が受け止めるため、通話の相手の音声が聞き取りやすくなる。
【００９０】
内ケース３の滑止部３７が外ケース２の抑止部２７に接することにより内ケース３は停止され、内ケース３と外ケース２が完全に分離しにくくなる。
【００９１】
また、外背板２０が透明な部材で形成されていることにより、内背板３０に和紙などで装飾を施して意匠性を高めることができる。
【００９２】
また、上記のケース体１では、外ケース２を透明な部材で形成したことにより、外背板２０にはカメラホール３８は設けられていないことから、全面にデザインを施すことが可能となる。例えば、外ケース２の全面に渡って絵やマーク等のデザインを施したり、シールを貼り付けたりして、見栄えをよくすることができる。
【００９３】
また、ケース体１を閉じた状態ではカメラレンズは外ケース２により保護されることとなるので、カメラレンズに物が直接接することを防ぎ、カメラレンズが破損等しにくくなる。
【００９４】
なお、カメラ撮影時には、内ケース３に設けられたカメラホール３８が外ケース２の上端部から表出する位置まで、内ケース３と外ケース２を移動させて、カメラ撮影を行う。
【００９５】
また、内背板３０の上端部にカメラホール３８が設けられていることにより、スマートフォン４のカメラ撮影機能を妨げることなく、内ケース３を装着したまま状態でカメラホール３８越しに写真撮影をすることができる。
【００９６】
また、撮影時や通話時には外ケース２と内ケース３をスライドして伸展させて使用し、写真撮影終了後や電話使用時以外では、外ケース２と内ケース３とを縮小させて使用する。即ち、スマートフォン４を使用または不使用時のそれぞれに適した大きさで利用することができる。
【００９７】
以下、本発明の第２の実施の形態について図６および図７を参照しながら説明し、本発明の理解に供する。
【００９８】
図６は、第２の実施の形態に係るタブレット端末ケースの構造を示した正面図である。図７は、第２の実施の形態に係るタブレット端末ケースの構造を示した断面図である。
【００９９】
〔第２の実施の形態〕
図６に示すように、本発明を適用した携帯端末用ケースの一例であるケース体６は、本体６０と取付部６１とを備える。また、取付部６１にはスピーカ孔６２が複数設けられている。
【０１００】
図７で示すように、本体６０の中央付近には凹部６４が形成されている。また、取付部６１は本体６０と一体に設けられている。取付部６１には、断面視凹状に形成された溝部６３を有する。溝部６３にはタブレット端末９が挟み込まれている。タブレット端末９と本体６０の間には、本体６０の凹部６４が位置することになる。また、タブレット端末９は略平板状の形状を有し、背面にスピーカが設けられている。
【０１０１】
取付部６１の根本部分にはスピーカ孔６２が複数設けられている。スピーカ孔６２は取付部６１を貫通しており、タブレット端末９を収容した際に、タブレット端末９と本体６０との間に形成される空間と連通している。
【０１０２】
ここで、本体６０に設けられた凹部６４の形状は、本実施例の形状に特に限定するものではない。タブレット端末９の背面から流れ出た音声を反響させることができる形状であれば良く、適宜変更できるものとする。
【０１０３】
また、本体６０及び凹部６４の形状は、本実施例の構造に限定されるものではない。例えば、平板状の本体と、その本体の一面の周縁に沿って本体凸部を形成し、本体及び本体凸部で凹部６４を形成する構造が採用しうる。また、この構造は、本体と本体凸部を一体形成してもよく、各々を別体で形成することも考えられる。
【０１０４】
また、取付部６１の溝部６３の形状は、本実施例の形状に特に限定するものではない。タブレット端末９を把持できる形状であれば良く、適宜変更できるものとする。
【０１０５】
また、スピーカ孔６２の形状及び個数は、本実施例の形状に特に限定するものではなく、適宜変更できるものとする。
【０１０６】
また、本実施例では、スピーカ孔６２が取付部６１に設けられているが、これに加えて、本体６０に第二のスピーカ孔を設ける構造も採用しうる。第二のスピーカ孔を、タブレット端末９と本体６０との間に形成される空間と連通させて、より、一層、タブレット端末から生じる音声を聞き取りやすい構造とすることもできる。
【０１０７】
また、本体６０と取付部６１は必ずしも一体として成形される必要はない。例えば、本体６０と取付部６１を別体で形成する構造も採用しうる。
【０１０８】
以下、ケース体６の使用について説明する。
【０１０９】
使用者は、取付部６１にタブレット端末９を挟み込み、固定する。このとき、タブレット端末９の音声は、タブレット端末９の背面から、一旦タブレット端末９の外部へ流れ出る。しかし、タブレット端末９の背面側に本体６０の凹部が設けられていることから、本体６０の凹部内で音声は反響し、スピーカ孔６２からタブレット端末９の正面側へ、即ち使用者側へ音声が流れ出る。
【０１１０】
これにより、使用者はタブレット端末９の音声を聞き取りやすくなる。また、タブレット端末９の背面側へ音声が流れ出にくいので、周囲に迷惑をかけることもない。さらに、適切な音量で聞き取ることができるので、消費電力量も少なくて済む。
【０１１１】
以下、本発明の第３の実施の形態について図８を参照しながら説明し、本発明の理解に供する。
【０１１２】
図８は、第３の実施の形態に係るタブレット端末ケースの構造を示した断面図である。
【０１１３】
〔第３の実施の形態〕
図８に示すように、本発明を適用した携帯端末用ケースの一例であるケース体８は、本体８０と取付部８１とを備える。
【０１１４】
本体８０の中央付近には凹部８４が形成され、取付部８１が本体８０と一体に設けられている。取付部８１には、断面視凹状に形成された溝部８３を有する。溝部８３にはタブレット端末９が挟み込まれている。タブレット端末９と本体８０の間には、本体８０の凹部８４が位置することになる。また、タブレット端末９は略平板状の形状を有し、背面にスピーカが設けられている。
【０１１５】
また、本体８０にはスピーカ孔８２が複数設けられている。スピーカ孔８２は本体８０を貫通しており、タブレット端末９を収容した際に、タブレット端末９と本体８０との間に形成される空間と連通している。
【０１１６】
ここで、本体８０に設けられた凹部８４の形状は、本実施例の形状に特に限定するものではない。タブレット端末９の背面から流れ出た音声を反響させることができる形状であれば良く、適宜変更できるものとする。
【０１１７】
また、本体８０及び凹部８４の形状は、本実施例の構造に限定されるものではない。例えば、平板状の本体と、その本体の一面の周縁に沿って本体凸部を形成し、本体及び本体凸部で凹部８４を形成する構造が採用しうる。また、この構造は、本体と本体凸部を一体形成してもよく、各々を別体で形成することも考えられる。
【０１１８】
また、取付部８１の溝部８３の形状は、本実施例の形状に特に限定するものではない。タブレット端末９を把持できる形状であれば良く、適宜変更できるものとする。
【０１１９】
また、スピーカ孔８２の形状及び個数は、本実施例の形状に特に限定するものではなく、適宜変更できるものとする。
【０１２０】
また、本実施例では、スピーカ孔８２が本体８０に設けられているが、これに加えて、取付部８１に第二のスピーカ孔を設ける構造も採用しうる。第二のスピーカ孔を、タブレット端末９と本体６０との間に形成される空間と連通させて、より、一層、タブレット端末から生じる音声を聞き取りやすい構造とすることもできる。
【０１２１】
また、本体８０と取付部８１は必ずしも一体として成形される必要はない。例えば、本体８０と取付部８１を別体で形成する構造も採用しうる。
【０１２２】
以下、ケース体８の使用について説明する。
【０１２３】
タブレット端末９の使用者は、取付部８１の溝部８３にタブレット端末９を挟み込み、固定する。このとき、タブレット端末９の音声は、タブレット端末９の背面から、一旦タブレット端末９の外部へ流れ出る。しかし、タブレット端末９の背面側に本体８０の凹部８４が設けられていることから、本体８０の凹部８４内で音声は反響し、スピーカ孔８２からタブレット端末９の正面側へ、即ち、使用者側へ音声が流れ出る。
【０１２４】
これにより、使用者はタブレット端末９の音声を聞き取りやすくなる。また、タブレット端末９の背面側へ音声が流れ出にくいので、周囲に迷惑をかけることもない。さらに、適切な音量で聞き取ることができるので、消費電力量も少なくて済む。
【０１２５】
このように、本発明を適用した携帯端末用ケースは意匠性に優れ、使い勝手が良いものとなっている。
【符号の説明】
【０１２６】
１  ケース体
２  外ケース
３  内ケース
４  携帯電話機
６  ケース体
８  ケース体
９  タブレット端末
２０  外背板
２１  外壁片
２２  外壁片
２４  爪部
２５  第一レール部
２６  膨出部
２７  抑止部
２８  第一レール部
２９  空孔部
３０  内背板
３１  内壁片
３２  内壁片
３３  内壁片
３４  爪部
３５  第二レール部
３６  係止部
３７  滑止部
３８  カメラホール
６０  本体
６１  取付部
６２  スピーカ孔
６３  溝部
６４  凹部
８０  本体
８１  取付部
８２  スピーカ孔
８３  溝部
８４  凹部
８５  間隙
【図１】
2015109508.tif 000003
【図２】
2015109508.tif 000004
【図３】
2015109508.tif 000005
【図４】
2015109508.tif 000006
【図５】
2015109508.tif 000007
【図６】
2015109508.tif 000008
【図７】
2015109508.tif 000009
【図８】
2015109508.tif 000010
【図９】
2015109508.tif 000011